(57)【要約】【課題】デバイスの色再現能力に応じた画像処理が可能な画像情報の劣化のない高パフォーマンスの多機能カラー画像形成装置、および、それを実現するための多機能カラー画像形成方法、多機能カラー画像形成のためのプログラム並びに記録媒体を提供すること。【解決手段】多機能カラー画像形成装置１の画像処理演算部１Ｄを、入力された画像情報を出力すべき出力先装置１Ｂ，１Ｃ，１Ｅ，２Ｄを識別して、これら出力先装置の画像再現能力を認識するための認識したうえで、入力された画像情報に、入力先装置のカラープロファイルと出力先装置の色再現特性に応じたカラープロファイルを指定する画像処理を施して出力するように構成することとした。【選択図】　　　　図１
2004064565.tif 000002
【特許請求の範囲】
【請求項１】
原稿読取部と、画像形成部と、画像処理演算部と、ネットワーク接続部と、データストレージ部と、制御部とを有する多機能カラー画像形成装置であって、
前記画像処理演算部は、入力された画像情報を出力すべき出力先装置を識別するための識別手段と、当該出力先装置の画像再現能力を認識するための認識手段とを備え、前記入力された画像情報に前記出力先装置の画像再現能力に応じた画像処理を施して出力することを特徴とする多機能カラー画像形成装置。
【請求項２】
前記画像処理演算部が実行する画像処理は、前記入力された画像情報の入力先装置のカラープロファイルと前記出力先装置の色再現特性に応じたカラープロファイルを指定する処理であることを特徴とする請求項１に記載の多機能カラー画像形成装置。
【請求項３】
前記画像処理演算部は、前記識別手段により識別された出力先装置が同種のアーキテクチャの装置である場合には、前記認識手段により出力先装置の色再現特性に応じたカラープロファイルの情報を入手して当該カラープロファイルを指定する処理を実行することを特徴とする請求項２に記載の多機能カラー画像形成装置。
【請求項４】
前記画像処理演算部は、前記識別手段により識別された出力先装置が相互に通信可能な同種のアーキテクチャの装置であり、かつ、当該出力先装置が色再現能力を有しない場合には、前記入力先装置のカラープロファイルのみを指定する処理を実行することを特徴とする請求項２に記載の多機能カラー画像形成装置。
【請求項５】
前記画像処理演算部は、前記識別手段により識別された出力先装置が同種のアーキテクチャの装置でない場合には、前記画像情報を前記入力先装置のカラープロファイルを利用してデバイスインディペンデントなカラー情報に変換する処理を実行することを特徴とする請求項２に記載の多機能カラー画像形成装置。
【請求項６】
原稿読取部と、画像形成部と、画像処理演算部と、ネットワーク接続部と、データストレージ部と、制御部とを有する多機能カラー画像形成装置であって、
前記画像処理演算部は、入力された画像情報の出力目的を判断する判断手段を備え、前記入力された画像情報に前記出力目的に応じた画像処理を施して出力することを特徴とする多機能カラー画像形成装置。
【請求項７】
前記出力目的に応じた画像処理は、出力目的に応じたカラープロファイルを指定する処理であることを特徴とする請求項６に記載の多機能カラー画像形成装置。
【請求項８】
原稿読取部と、画像形成部と、画像処理演算部と、ネットワーク接続部と、データストレージ部と、制御部とを有する多機能カラー画像形成装置で用いられる多機能画像形成方法であって、
入力された画像情報を出力すべき出力先装置を識別するステップと、
当該出力先装置の画像再現能力を認識するステップと、
前記入力された画像情報に前記出力先装置の画像再現能力に応じた画像処理を施して出力するステップとを備えることを特徴とする多機能カラー画像形成方法。
【請求項９】
前記画像処理は、前記入力された画像情報の入力先装置のカラープロファイルと前記出力先装置の色再現特性に応じたカラープロファイルを指定する処理であることを特徴とする請求項８に記載の多機能カラー画像形成方法。
【請求項１０】
前記画像処理は、前記識別された出力先装置が同種のアーキテクチャの装置である場合には、当該出力先装置の色再現特性に応じたカラープロファイルの情報を入手して当該カラープロファイルを指定する処理であることを特徴とする請求項９に記載の多機能カラー画像形成方法。
【請求項１１】
前記画像処理は、前記識別された出力先装置が相互に通信可能な同種のアーキテクチャの装置であり、かつ、当該出力先装置が色再現能力を有しない場合には、前記入力先装置のカラープロファイルのみを指定する処理であることを特徴とする請求項９に記載の多機能カラー画像形成方法。
【請求項１２】
前記画像処理は、前記識別された出力先装置が同種のアーキテクチャの装置でない場合には、前記画像情報を前記入力先装置のカラープロファイルを利用してデバイスインディペンデントなカラー情報に変換する処理であることを特徴とする請求項９に記載の多機能カラー画像形成方法。
【請求項１３】
原稿読取部と、画像形成部と、画像処理演算部と、ネットワーク接続部と、データストレージ部と、制御部とを有する多機能カラー画像形成装置で用いられる多機能カラー画像形成方法であって、
入力された画像情報の出力目的を判断するステップと
当該入力された画像情報に前記出力目的に応じた画像処理を施して出力するステップとを備えることを特徴とする多機能カラー画像形成方法。
【請求項１４】
前記出力目的に応じた画像処理は、出力目的に応じたカラープロファイルを指定する処理であることを特徴とする請求項１３に記載の多機能カラー画像形成方法。
【請求項１５】
原稿読取部と、画像形成部と、画像処理演算部と、ネットワーク接続部と、データストレージ部と、制御部とを有する多機能カラー画像形成装置を制御するためのコンピュータが実行可能なプログラムであって、
入力された画像情報を出力すべき出力先装置を識別するステップと、
当該出力先装置の画像再現能力を認識するステップと、
前記入力された画像情報に前記出力先装置の画像再現能力に応じた画像処理を施して出力するステップとを備えることを特徴とするプログラム。
【請求項１６】
前記画像処理は、前記入力された画像情報の入力先装置のカラープロファイルと前記出力先装置の色再現特性に応じたカラープロファイルを指定する処理であることを特徴とする請求項１５に記載のプログラム。
【請求項１７】
前記画像処理は、前記識別された出力先装置が同種のアーキテクチャの装置である場合には、当該出力先装置の色再現特性に応じたカラープロファイルの情報を入手して当該カラープロファイルを指定する処理であることを特徴とする請求項１６に記載のプログラム。
【請求項１８】
前記画像処理は、前記識別された出力先装置が相互に通信可能な同種のアーキテクチャの装置であり、かつ、当該出力先装置が色再現能力を有しない場合には、前記入力先装置のカラープロファイルのみを指定する処理であることを特徴とする請求項１６に記載のプログラム。
【請求項１９】
前記画像処理は、前記識別された出力先装置が同種のアーキテクチャの装置でない場合には、前記画像情報を前記入力先装置のカラープロファイルを利用してデバイスインディペンデントなカラー情報に変換する処理であることを特徴とする請求項１６に記載のプログラム。
【請求項２０】
原稿読取部と、画像形成部と、画像処理演算部と、ネットワーク接続部と、データストレージ部と、制御部とを有する多機能カラー画像形成装置を制御するためのコンピュータが実行可能なプログラムであって、
入力された画像情報の出力目的を判断するステップと
当該入力された画像情報に前記出力目的に応じた画像処理を施して出力するステップとを備えることを特徴とするプログラム。
【請求項２１】
前記出力目的に応じた画像処理は、出力目的に応じたカラープロファイルを指定する処理であることを特徴とする請求項２０に記載のプログラム。
【請求項２２】
請求項１５ないし請求項２１の何れかに記載のプログラムを記録したコンピュータ読取可能な記録媒体。
【発明の詳細な説明】
【０００１】
【発明の属する技術分野】
本発明は、デバイスの色再現能力に応じた画像処理が可能な画像情報の劣化のない高パフォーマンスの多機能カラー画像形成装置、および、それを実現するための多機能カラー画像形成方法、多機能カラー画像形成のためのプログラム並びに記録媒体に関する。
【０００２】
【従来の技術】
原稿読取部と、画像形成部と、画像処理演算部と、ネットワーク接続部と、データストレージ部と、制御部とからなる従来の多機能カラー画像形成装置は、極めて多種・多彩な機能を備えており、例えば、原稿読み取り部でスキャンした画像データを画像処理した上で画像形成部に送ってプリントするコピー機能、画像処理後の画像データをデータストレージ部に蓄える機能、ネットワークを介して受信したプリントジョブを画像処理してプリントする機能、データストレージに蓄える機能、画像処理後の画像データをネットワーク接続部を介して他の多機能カラー画像形成装置に送信する機能等を有している。
【０００３】
従って、多機能カラー画像形成装置では、原稿読み取り部やプリントジョブなどの様々な入力ソースからのカラー画像情報を扱うこととなるが、カラー画像情報は入力ソースによって表現できる色再現空間に差異があるため、それぞれの入力ソースの特性のままカラー画像情報を取扱おうとするとカラーの統一性を失う結果となる。そのため、一般に、標準色空間を採用した色処理を施した上で
カラー画像情報を取扱うこととされている。
【０００４】
カラーの画像処理に標準色空間を採用することとすれば、扱われる画像データの入力ソースを意識することなく、異なるデバイス間で同じ色情報をやりとりすることができるため、出力装置側でも標準色空間のための処理を行う方法を提供するだけで済ませることが可能となる。
【０００５】
【発明が解決しようとする課題】
しかしながら、従来の多機能カラー画像形成装置における標準色空間を採用した色処理においては、デバイスによっては標準色空間との色の再現範囲の乖離が大きい場合があるため、実際にはデバイスによって色が合ったり合わなかったりするという問題があった。特に、入力系のＲＧＢ系と出力系のＣＭＹＫ系とでは発色原理自体に大きな違いがあり、一般的にＲＧＢ系デバイスは色の再現範囲が広いのに対して、ＣＭＹＫ系デバイスは色の再現範囲が狭いという特性をもっている一方、一般的な標準色空間はＲＧＢ系であるために、ＣＭＹＫ系の出力系デバイスでは再現できない色情報が含まれることになり、多くの入力デバイスや出力デバイスを扱う多機能カラー画像形成装置においては、デバイスによって色が合ったり合わなかったりするという問題の原因となっていた。
【０００６】
また、標準色空間を採用した場合には、そもそも個々のデバイスの持つ色再現範囲を効率よく使った色処理ができないため、より広い色再現能力を有するデバイス間のやり取りにおいては、デバイスの色再現能力を充分に発揮しきれなくなってしまうという問題もあった。
【０００７】
本発明は、このような問題に鑑みてなされたもので、その目的とするところは、デバイスの色再現能力に応じた画像処理が可能な画像情報の劣化のない高パフォーマンスの多機能カラー画像形成装置、および、それを実現するための多機能カラー画像形成方法、多機能カラー画像形成のためのプログラム並びに記録媒体を提供することにある。
【０００８】
【課題を解決するための手段】
本発明は、このような目的を達成するために、第１の発明は、原稿読取部と、画像形成部と、画像処理演算部と、ネットワーク接続部と、データストレージ部と、制御部とを有する多機能カラー画像形成装置であって、前記画像処理演算部は、入力された画像情報を出力すべき出力先装置を識別するための識別手段と、当該出力先装置の画像再現能力を認識するための認識手段とを備え、前記入力された画像情報に前記出力先装置の画像再現能力に応じた画像処理を施して出力することを特徴とする。
【０００９】
好ましくは、前記画像処理演算部が実行する画像処理は、前記入力された画像情報の入力先装置のカラープロファイルと前記出力先装置の色再現特性に応じたカラープロファイルを指定する処理である。
【００１０】
また、好ましくは、前記画像処理演算部は、前記識別手段により識別された出力先装置が同種のアーキテクチャの装置である場合には、前記認識手段により出力先装置の色再現特性に応じたカラープロファイルの情報を入手して当該カラープロファイルを指定する処理を実行したり、識別された出力先装置が相互に通信可能な同種のアーキテクチャの装置であり、かつ、当該出力先装置が色再現能力を有しない場合には、前記入力先装置のカラープロファイルのみを指定する処理を実行したり、識別された出力先装置が同種のアーキテクチャの装置でない場合には、前記画像情報を前記入力先装置のカラープロファイルを利用してデバイスインディペンデントなカラー情報に変換する処理を実行したりする。
【００１１】
また、第２の発明は、原稿読取部と、画像形成部と、画像処理演算部と、ネットワーク接続部と、データストレージ部と、制御部とを有する多機能カラー画像形成装置であって、前記画像処理演算部は、入力された画像情報の出力目的を判断する判断手段を備え、前記入力された画像情報に前記出力目的に応じた画像処理を施して出力することを特徴とする。
【００１２】
好ましくは、前記出力目的に応じた画像処理は、出力目的に応じたカラープロファイルを指定する処理である。
【００１３】
さらに、本発明の他の発明は、これらの多機能カラー画像形成装置で用いる多機能カラー画像形成方法、および、これらの多機能カラー画像形成装置を制御するコンピュータが実行可能なプログラム、並びに、そのようなプログラムを記録したコンピュータ読取可能な記録媒体である。
【００１４】
【発明の実施の形態】
以下に、図面を参照して、本発明の実施の形態について説明する。なお、各図面において、同一の構成要素には同一の符号を付して説明することとする。
【００１５】
（実施例１）
図１は、本発明の多機能カラー画像形成装置を３機接続して構成したシステムにおける多機能カラー画像形成装置間の画像情報のワークフロー図である。
【００１６】
図２は、これら３機の多機能カラー画像形成装置の設置ブロック図で、この図において、多機能カラー画像形成装置１〜３はそれぞれ異なる機種を仮定しているが、相互の通信プロトコルは標準化されており、各装置間の通信と画像情報のやりとりが可能となっている。図２において、１Ａ〜３Ａは原稿読取部である原稿スキャナ部、１Ｂ〜３Ｂおよびは１Ｃ〜３Ｃは各々プリンタ部およびプレビューモニタ部であり、これらは画像形成部に相当している。また、１Ｅ〜３Ｅはデータストレージを行うストレージ部である。
【００１７】
１Ｄ〜３Ｄは画像処理演算を実行する画像処理部であり、本発明の多機能カラー画像形成装置１に備えられた画像処理演算部１Ｄには、原稿スキャナ１Ａから入力した画像情報を出力すべき出力先装置を識別するための識別部と、出力先装置の画像再現能力を認識するための認識部とが備えられており、原稿スキャナ１Ａから入力した画像情報に出力先装置の画像再現能力に応じた画像処理を施して出力することを可能とするとともに、入力された画像情報の出力目的を判断する判断部を備えることで、出力目的に応じた画像処理を施して出力することを可能としている。
【００１８】
なお、これらの多機能カラー画像形成装置は、図示しないネットワーク接続部および制御部を備え、制御部には、本発明の多機能カラー画像形成装置本体を制御するためのプログラムを格納したコンピュータが設けられている。
【００１９】
図１のワークフロー図には、複数の入力ソースから多機能カラー画像形成装置１の画像処理部１Ｄへ入力された画像情報が、複数の出力先に出力されるまでのフローが示されており、多機能カラー画像形成装置１のスキャナ部１Ａから取込んだ原稿Ｍ１の画像情報、画像処理部１Ｄにネットワーク経由で送信されてきたプリントジョブＰ、および、カラー画像形成装置３のスキャナ部３Ａから取込まれ画像処理部３Ｄで処理された画像情報は、カラー画像形成装置１の画像処理部１Ｄで画像処理され、この画像処理後の画像情報が、多機能カラー画像形成装置１のプリンタ部１Ｂ、プレビューモニタ部１Ｃ、ストレージディスク１Ｅに出力されるとともに、ネットワークを介して、多機能カラー画像形成装置２のプリンタ部２Ｂ、プレビューモニタ部２Ｃ、ストレージディスク２Ｅにも出力される。
【００２０】
図３は、多機能カラー画像形成装置１のスキャナ部１Ａから原稿Ｍ１の画像情報（生情報：Ｒａｗ）を入力した際の、出力側で用いられるカラープロファイルの構成例を説明するための図である。
【００２１】
出力装置が多機能カラー画像形成装置１のプリント部１Ｂであるときには、スキャナ部１Ａのカラープロファイル（Ｐｒｏｆｉｌｅ（１Ａ））とプリント部１Ｂのカラープロファイル（Ｐｒｏｆｉｌｅ（１Ｂ））の２つのカラープロファイルを用いた処理がなされる。
【００２２】
また、出力装置が多機能カラー画像形成装置１のプレビューモニタ部１Ｃであるときには、スキャナ部１Ａのカラープロファイル（Ｐｒｏｆｉｌｅ（１Ａ））とプレビューモニタ部１Ｃのカラープロファイル（Ｐｒｏｆｉｌｅ（１Ｃ））の２つのカラープロファイルを用いた処理がなされる。
【００２３】
一方、出力装置が多機能カラー画像形成装置１のストレージディスク１Ｅであるときには、ストレージディスク１Ｅ自体は色再現能力をもたないために出力装置用のカラープロファイルは指定されず、入力装置であるスキャナ部１Ａのカラープロファイル（Ｐｒｏｆｉｌｅ（１Ａ））のみが指定された状態で出力される。
【００２４】
出力装置が多機能カラー画像形成装置２のプリンタ部２Ｂ、プレビューモニタ部２Ｃ、ストレージディスク２Ｅであるときにも上記と同様であって、プリンタ部２Ｂでは、多機能カラー画像形成装置２は同種のアーキテクチャであるため、プリンタ部２Ｂのカラープロファイル（Ｐｒｏｆｉｌｅ（２Ｂ））に関する情報を入手することができ、送信される画像情報で指定されるカラープロファイルは、スキャナ部１Ａとプリンタ部２Ｂの２つのカラープロファイル（Ｐｒｏｆｉｌｅ（１Ａ）＋Ｐｒｏｆｉｌｅ（２Ｂ））が指定され、プレビューモニタ部２Ｃでは、（Ｐｒｏｆｉｌｅ（１Ａ）＋Ｐｒｏｆｉｌｅ（２Ｃ））が指定され、ストレージディスク２Ｅでは、Ｐｒｏｆｉｌｅ（１Ａ）のみが指定される。
【００２５】
このように、本実施例によれば、多様な入力ソースと出力先とを有する多機能カラー画像形成装置において、入力・出力装置のもつ色再現範囲の如何によらず、それぞれに最適なカラープロファイルによって処理させることが可能となり、かつ、カラーレンダリング処理が基本的に出力装置の側で一度だけ処理される構成となることによりパフォーマンスの向上がはかれることとなる。
【００２６】
（実施例２）
図４は、本発明の多機能カラー画像形成装置１のスキャナ部１Ａから原稿Ｍ１の画像情報（生情報：Ｒａｗ）を入力した際の、出力側で用いられるカラープロファイルの第２の構成例を説明するための図で、出力装置が、多機能カラー画像形成装置１のプリンタ部１Ｂ、プレビューモニタ部１Ｃ、ストレージディスク部１Ｅに加えて、一般的なＴＣＰ／ＩＰベースのＥｍａｉｌ（インターネットメール）サーバ（ＰＯＰサーバ）が対象となっている場合の例である。
【００２７】
また、図５は、２機の多機能カラー画像形成装置とＥｍａｉｌサーバおよびクライアントＰＣを接続した場合の設置ブロック図である。
【００２８】
図４において、多機能カラー画像形成装置１のスキャナ部１Ａから入力された画像情報（Ｒａｗ）が、多機能画像情報装置１のプリント部１Ｂ、プレビューモニタ部１Ｃ、ストレージディスク部１Ｅに送信される際には、実施例１と同様のカラープロファイルの指定がなされる。
【００２９】
一方、多機能カラー画像形成装置１のスキャナ部１Ａから入力された画像情報（Ｒａｗ）が、ＰＯＰサーバに送られる際には、多機能カラー画像形成装置１内において、スキャナ部１Ａのカラープロファイル（１Ａ´））を用いてｓＲＧＢ標準に準拠したビットマップ画像に変換された後にＥｍａｉｌ文書に対する添付ファイルとして、標準的なＭＩＭＥエンコーディングがなされる。これは、Ｅｍａｉｌサーバは、多機能カラー画像形成装置とは異なるアーキテクチャの装置であり、出力先であるＥｍａｉｌサーバで採用される画像情報の標準色空間がｓＲＧＢであるためにこれに合わせるためである。
【００３０】
このようなエンコーディングの後、Ｅｍａｉｌサーバからネットワーク上のクライアントＰＣに対して画像データが添付されたＥｍａｉｌが配送され、クライアントＰＣ上で実際に添付ファイル付きのＥｍａｉｌを受け取った使用者は、デコードされたＲＧＢビットマップデータを閲覧し、再利用できる。このとき、一般的なクライアントＰＣのＯＳ（Ｏｐｅｒａｔｉｎｇ　Ｓｙｓｔｅｍ）で採用されている標準色空間はｓＲＧＢであることが多いため、ｓＲＧＢ色空間に準拠したモニタや観察環境を備えるクライアントＰＣ間でならば、同じ色として表示することが可能となる。
【００３１】
このように、本実施例によれば、同種のアーキテクチャである多機能画像形成装置のデバイス間の画像情報のやり取りの際には、実施例１のように入力装置、出力装置それぞれに最適なカラープロファイルを用いた処理がなされるが、異なったアーキテクチャであるＥｍａｉｌサーバへの画像データ送信の場合には、標準的な色空間であるｓＲＧＢに準拠した色情報に変換されて送られるため、送信先のユーザはｓＲＧＢ環境に準拠したモニタや各種デバイス間での相互のやり取りが容易になる。
【００３２】
（実施例３）
図６は、本発明の多機能カラー画像形成装置１のスキャナ部１Ａから原稿Ｍ１の画像情報（生情報：Ｒａｗ）を入力した際の、出力側で用いられるカラープロファイルの第３の構成例を説明するための図で、多機能カラー画像形成装置１のプリント部１Ｂと多機能カラー画像形成装置２のプリント部２Ｂの２箇所から同時に同一の画像を出力する場合のカラープロファイルの構成例である。ここでは、多機能カラー画像形成装置１のプリント部１Ｂと多機能カラー画像形成装置２のプリント部２Ｂとは異なる機種であり、使用される現像剤の色材に違いがあるため各々の色再現能力に違いがあることが仮定されている。
【００３３】
本実施例においては、プリント部１Ｂに出力する際に使用されるカラープロファイルはＰｒｏｆｉｌｅ（１Ａ）＋Ｐｒｏｆｉｌｅ（１Ｂ２）、プリント部２Ｂに出力する際に使用されるカラープロファイルはＰｒｏｆｉｌｅ（１Ａ）＋Ｐｒｏｆｉｌｅ（２Ｂ２）となっており、各プリント部用に用意されるＰｒｏｆｉｌｅ（１Ｂ２）およびＰｒｏｆｉｌｅ（２Ｂ２）は、プリント部１Ｂとプリント部２Ｂのそれぞれの色再現能力の比較をして、両者の色再現範囲の共通部分に含まれるように構成されている。
【００３４】
図７は、このように構成した場合の色再現範囲の概念図で、Ｐｒｏｆｉｌｅ（１Ｂ２）およびＰｒｏｆｉｌｅ（２Ｂ２）は、図中の斜線部で示した色空間内を利用したカラーマッピングが行われる。これによってカラーマップ時に両プリント部の色再現範囲を超える領域にマップすることがなくなる。
【００３５】
このように、本実施例によれば、同一の入力ソースであるスキャナ部１Ａからの画像情報を、異なる出力特性を有するプリント部１Ｂとプリント部２Ｂに対して同時にプリントする場合には、両プリント部からの出力の色を合わせることが可能となる。
【００３６】
【発明の効果】
以上説明したように、本発明によれば、デバイスの色再現能力に応じた画像処理が可能な画像情報の劣化のない高パフォーマンスの多機能カラー画像形成装置、および、それを実現するための多機能カラー画像形成方法、多機能カラー画像形成のためのプログラム並びに記録媒体を提供することが可能となる。
【００３７】
本発明により得られる効果をより具体的に纏めると以下のとおりである。
（１）原稿読取部と、画像形成部と、画像処理演算部と、ネットワーク接続部と、データストレージ部と、制御部とからなる多機能カラー画像形成装置において、多機能カラー画像形成装置に入力した画像情報を出力する際に、画像情報に対して加える画像処理方法を、出力先毎に異なる処理方法が提供される仕組みを有することにより出力装置毎の出力特性の違いに合わせた画像処理を加えることを可能とする効果を有する。
（２）多機能カラー画像形成装置に入力された画像情報を出力する際には、入力装置のカラープロファイルと出力先の装置の色再現特性に応じたカラープロファイルを指定することにより、色再現能力の異なる各入力装置、出力装置毎に最適なカラープロファイルを使用することが可能となる効果を有する。
（３）出力先の装置が同種のアーキテクチャの装置の場合には、出力先の装置の色再現特性に応じたカラープロファイルの情報を入手し、出力装置に送る際には概カラープロファイルを指定することを可能とすることにより、同アーキテクチャの装置間では画像処理回数が最少にでき、画像情報の劣化の防止とパフォーマンスの向上を実現することが可能となる効果を有する。
（４）出力先の装置が相互に通信可能な同種のアーキテクチャの装置の場合であり、なおかつ出力先の装置が色再現能力を有しない場合には、入力装置のカラープロファイルのみ指定した画像情報として送信することにより、無用な画像処理をなくし、画像情報の劣化の防止とパフォーマンスの向上を実現することが可能となる効果を有する。
（５）出力先の装置が同種のアーキテクチャの装置ではない場合には、画像情報を入力装置のカラープロファイルを利用してデバイスインディペンデントなカラー情報に変換して送信することにより、同アーキテクチャの装置間では画像処理回数が最少にでき、画像情報の劣化の防止とパフォーマンスの向上を実現することが可能となり、異なるアーキテクチャの装置に対しては、一般的な標準色処理機能を有効に活用できるという効果を有する。
（６）原稿読取部と、画像形成部と、画像処理演算部と、ネットワーク接続部と、データストレージ部と、制御部とからなる多機能カラー画像形成装置において、多機能カラー画像形成装置に入力した画像情報に対して加える画像処理方法を、出力目的に応じて異なる処理方法とすることにより、出力目的によって、出力装置毎の出力特性の違いを効果的に吸収したり利用したりする画像処理を加えることを可能とする効果を有する。
（７）出力目的に応じて異なるカラープロファイルを指定することにより、出力目的によって、出力装置毎の色再現特性の違いを効果的に吸収したり利用したりするカラー画像処理を加えることを可能とする効果を有する。
【図面の簡単な説明】
【図１】本発明の多機能カラー画像形成装置を３機用いて構成したシステムにおける多機能カラー画像形成装置間の画像情報のワークフロー図である。
【図２】図１に示した３機の多機能カラー画像形成装置の設置ブロック図である。
【図３】多機能カラー画像形成装置１のスキャナ部１Ａから原稿Ｍ１の画像情報を入力した際の、出力側で用いられるカラープロファイルの構成を説明するための図である。
【図４】本発明の多機能カラー画像形成装置１のスキャナ部１Ａから原稿Ｍ１の画像情報（生情報：Ｒａｗ）を入力した際の、出力側で用いられるカラープロファイルの第２の構成例を説明するための図である。
【図５】２機の多機能カラー画像形成装置とＥｍａｉｌサーバおよびクライアントＰＣを接続した場合の設置ブロック図である。
【図６】本発明の多機能カラー画像形成装置１のスキャナ部１Ａから原稿Ｍ１の画像情報（生情報：Ｒａｗ）を入力した際の、出力側で用いられるカラープロファイルの第３の構成例を説明するための図である。
【図７】本発明における色再現範囲の概念図である。
【符号の説明】
１、２、３　多機能カラー画像形成装置
１Ａ、２Ａ、３Ａ　原稿スキャナ部
１Ｂ、２Ｂ、３Ｂ　プリンタ部
１Ｃ、２Ｃ、３Ｃ　プレビューモニタ部
１Ｄ、２Ｄ、３Ｄ　画像処理部
１Ｅ、２Ｅ、３Ｅ　ストレージ部
Ｍ１、Ｍ３　原稿
Ｐ　プリントジョブ
【図１】
2004064565.tif 000003
【図２】
2004064565.tif 000004
【図３】
2004064565.tif 000005
【図４】
2004064565.tif 000006
【図５】
2004064565.tif 000007
【図６】
2004064565.tif 000008
【図７】
2004064565.tif 000009